(57)【要約】【課題】一般的な方式で絵素が形成されて配列される表示部を有する装置についても、表示された画像に見られる「画像粗さ」を緩和することができる映像信号変換装置を提供すること。【解決手段】所定の複数の発光素子からなる絵素が複数縦横に配列された複数のユニット、および各発光素子を発光させる駆動回路を有し、各ユニットが縦横に配列されている表示部１１０と、入力映像信号に基づいて表示される画像における画像粗さを検出する画像粗さ検出部１２０と、画像粗さが緩和されるように画像粗さが検出された絵素中の所定発光素子の発光を制御する調整映像信号を生成する信号調整部１３０と、調整映像信号に応じて表示部の駆動回路を制御する制御部１４０とを備えた構成を有している。【選択図】  図１
2004302348.tif 000002
【特許請求の範囲】
【請求項１】
少なくとも２方向に配列された複数の発光素子からなる絵素が複数縦横に配列された複数のユニット、および複数の前記発光素子の各々を発光させる駆動回路を有し、前記複数のユニットが縦横に配列されている表示部と、入力映像信号に基づいて表示される画像および複数の前記発光素子の配置に応じて前記絵素を構成する前記発光素子の発光を、前記表示部に表示される画像粗さを低減するように調整するための調整映像信号を生成する手段と、前記調整映像信号に応じて前記表示部の駆動回路を制御する制御部とを備えたことを特徴とする映像信号変換装置。
【請求項２】
前記調整映像信号を生成する手段は、前記入力映像信号に基づいて表示される画像における画像粗さを検出する画像粗さ検出部と、前記画像粗さが緩和されるように前記画像粗さが検出された絵素中の所定発光素子の発光を制御する調整映像信号を生成する信号調整部とを有することを特徴とする請求項１に記載の映像信号変換装置。
【請求項３】
輝度の高い絵素である明絵素が斜めに接続され、前記明絵素同士の交点である明絵素間交点の最近接位置に輝度の低い絵素である暗絵素が存在する場合に、前記暗絵素を構成し、前記明絵素間交点に近接する位置の前記発光素子を発光させることを特徴とする請求項２に記載の映像信号変換装置。
【請求項４】
前記明絵素間交点が斜めに２つの暗絵素によって挟まれる場合に、前記２つの暗絵素を構成し、前記明絵素間交点に近接する位置の前記発光素子を発光させることを特徴とする請求項２に記載の映像信号変換装置。
【請求項５】
前記２つの暗絵素を構成する発光素子であって、前記明絵素間交点に近接し発光させられる前記発光素子は、合わせて３種類以上の発光素子からなり、３種類以上の色を発光することを特徴とする請求項４に記載の映像信号変換装置。
【請求項６】
前記絵素は、３つの発光素子によって構成されることを特徴とする請求項１ないし請求項５のいずれかに記載の映像信号変換装置。
【請求項７】
前記絵素は、４つの発光素子によって構成されることを特徴とする請求項１ないし請求項５のいずれかに記載の映像信号変換装置。
【請求項８】
前記絵素は、５つの発光素子によって構成されることを特徴とする請求項１ないし請求項５のいずれかに記載の映像信号変換装置。
【請求項９】
表示される文字の前記暗絵素の位置を前記文字のフォントに応じて予め記憶しておくことを特徴とする請求項２ないし請求項８のいずれかに記載の映像信号変換装置。
【請求項１０】
複数の絵素が配列された表示部を有する表示装置に表示される画像を規定する情報である画像情報を含む情報を入力させる操作手段と、前記操作手段を介して入力された画像情報、および前記表示部の各絵素を構成する色表示素子の配置、の両方に応じて各前記絵素の各色表示素子が表示する色を、前記表示装置に表示される画像粗さを低減するように調整するための調整映像信号を生成する手段とを備えたことを特徴とする映像信号変換装置。
【請求項１１】
前記調整映像信号を生成する手段は、前記操作手段を介して入力された画像情報に基づいて表示される画像における画像粗さを検出する画像粗さ検出部と、前記画像粗さが緩和されるように前記画像粗さが検出された絵素中の所定色表示素子が表示する色を制御する調整映像信号を生成する信号調整部とを有することを特徴とする請求項１０に記載の映像信号変換装置。
【請求項１２】
複数の絵素が配列された表示部を有する表示装置に表示される画像を規定する情報である画像情報に、前記画像情報、および前記表示部の各絵素を構成する色表示素子の配置、の両方に応じて各前記絵素の各色表示素子が表示する色を、前記表示装置に表示される画像粗さを低減するように調整して得られる調整映像信号を有した電子記憶媒体。
【発明の詳細な説明】
【０００１】
【発明の属する技術分野】
本発明は、映像信号変換装置に関し、特に、表示された画像に見られる「ぎざぎざ」（ジャギーまたは階段状の粗さ）または表示される画像に予想される画像のぎざぎざを軽減することが可能な映像信号変換装置に関する。
【０００２】
【従来の技術】
近年、表示素子等の性能や発行制御等の性能の向上に伴って色むらの問題が低減し、それまであまり問題とされていなかった画像粗さの問題が顕在化してきた。ここで、画像粗さとは、表示画像に見られる「ぎざぎざ」のことである「ジャギー」、「階段状の粗さ」、その他の解像度が有限であることにより生ずる画像の不連続をいう。このような画像粗さは、特に、大型映像表示装置において顕著に知覚される。
【０００３】
「画像粗さ」について、図１０を用いて具体的について説明する。ここで、大型映像表示装置に、図１０（ａ）に示すような画像が表示されているものとする。大型映像表示装置から遠く離れた人が表示された画像を見ると、画像は概ね滑らかに見えることになる。しかし、大型映像表示装置の近くにいる人には、例えば図１０（ａ）に示す画像の丸で囲んだ部分は、図１０（ｂ）に示すような画像として見えることになる。図１０（ｂ）に示す図では、図１０（ａ）で「斜めの線」に見える部分が白い四角の角を接続したものとして見え、ぎざぎざして見える。このようなぎざぎざのことを、上記では画像粗さと表現している。
【０００４】
このような「画像粗さ」を緩和するために、上記従来の大型映像表示装置では、図１１に示すように、水平方向にＲＧＢの発光素子を並べて、水平方向に隣り合う絵素に含まれる発光素子を組み合わせて新たな絵素となるように制御していた。具体的には、図１１の２行目に関しては、第１列目のＧＢ発光素子と第２列目のＲ発光素子とを組み合わせて新たな絵素としていた。
【０００５】
【特許文献１】
特開平１１−１４９２６０号公報
【０００６】
【発明が解決しようとする課題】
しかし、このような従来の大型映像表示装置における映像信号変換技術では、発光素子の向きをそろえて直線上に並べて（並べる方向を水平方向とする。）絵素を形成し、これらの絵素を水平方向に配列して表示部を形成する方式が取られるため、他の方式の表示部を有する大型映像表示装置については好適に「画像粗さ」を緩和できないことがあるという問題があった。
【０００７】
本発明はこのような問題を解決するためになされたもので、一般的な絵素配列の表示部を有する装置であっても、表示部に表示された画像における「画像粗さ」を緩和することができる映像信号変換装置を提供するものである。
【０００８】
【課題を解決するための手段】
本発明の映像信号変換装置は、所定の複数の発光素子からなる絵素が複数縦横に配列された複数のユニット、および各前記発光素子を発光させる駆動回路を有し、各前記ユニットが縦横に配列されている表示部と、入力映像信号に基づいて表示される画像に応じて前記絵素を構成する各発光素子の発光を調整するための調整映像信号を生成する手段と、前記調整映像信号に応じて前記表示部の駆動回路を制御する制御部とを備えた構成を有している。
この構成により、入力映像信号に基づいて表示される画像に応じて絵素を構成する各発光素子の発光を調整するため、一般的な方式で絵素が形成されて配列される表示部を有する装置についても、表示された画像に見られる「画像粗さ」を緩和することが可能な映像信号変換装置を実現することができる。
【０００９】
また、映像信号変換装置は、前記調整映像信号を生成する手段は、前記入力映像信号に基づいて表示される画像における画像粗さを検出する画像粗さ検出部と、前記画像粗さが緩和されるように前記画像粗さが検出された絵素中の所定発光素子の発光を制御する調整映像信号を生成する信号調整部とを備えた構成を有している。
この構成により、入力映像信号に基づいて表示される画像における画像粗さを検出し、検出した画像粗さを緩和するための調整映像信号を生成するため、一般的な方式で絵素が形成されて配列される表示部を有する装置についても、表示された画像に見られる「画像粗さ」を緩和することが可能な映像信号変換装置を実現することができる。
【００１０】
また、映像信号変換装置は、輝度の高い絵素である明絵素が斜めに接続され、前記明絵素同士の交点である明絵素間交点の最近接位置に輝度の低い絵素である暗絵素が存在する場合に、前記暗絵素を構成し、前記明絵素間交点に近接する位置の前記発光素子を発光させる構成を有している。
この構成により、明絵素同士の交点である明絵素間交点に近接する位置の発光素子を発光させるため、一般的な方式で絵素が形成されて配列される表示部を有する装置についても、表示された画像に見られる「画像粗さ」を緩和することが可能な映像信号変換装置を実現することができる。
【００１１】
また、映像信号変換装置は、前記明絵素間交点が斜めに２つの暗絵素によって挟まれる場合に、前記２つの暗絵素を構成し、前記明絵素間交点に近接する位置の前記発光素子を発光させる構成を有している。
この構成により、明絵素同士の交点である明絵素間交点に近接する位置の発光素子を発光させるため、一般的な方式で絵素が形成されて配列される表示部を有する装置についても、表示された画像に見られる「画像粗さ」を緩和することが可能な映像信号変換装置を実現することができる。
【００１２】
また、映像信号変換装置は、前記２つの暗絵素を構成する発光素子であって、前記明絵素間交点に近接し発光させられる前記発光素子は、合わせて３種類以上の発光素子からなり、３種類以上の色を発光する構成を有している。
この構成により、明絵素同士の交点である明絵素間交点に近接する発光素子が３種類以上の光を発光するため、一般的な方式で絵素が形成されて配列される表示部を有する装置についても、表示された画像に見られる「画像粗さ」を緩和することが可能で、色彩の調整にも適した映像信号変換装置を実現することができる。
【００１３】
また、映像信号変換装置は、前記絵素が、３つの発光素子によって構成される構成を有している。
この構成により、絵素が、３つの発光素子によって構成されるため、一般的な方式で絵素が形成されて配列される表示部を有する装置についても、表示された画像に見られる「画像粗さ」を緩和することが可能で、簡易な構成の映像信号変換装置を実現することができる。
【００１４】
また、映像信号変換装置は、前記絵素が、４つの発光素子によって構成される構成を有している。
この構成により、絵素が、４つの発光素子によって構成されるため、一般的な方式で絵素が形成されて配列される表示部を有する装置についても、表示された画像に見られる「画像粗さ」を緩和することが可能で、色彩調整の自由度を向上させることができる映像信号変換装置を実現することができる。
【００１５】
また、映像信号変換装置は、前記絵素が、５つの発光素子によって構成される構成を有している。
この構成により、絵素が、５つの発光素子によって構成されるため、一般的な方式で絵素が形成されて配列される表示部を有する装置についても、表示された画像に見られる「画像粗さ」を緩和することが可能で、色彩調整の自由度をさらに向上させることができる映像信号変換装置を実現することができる。
【００１６】
また、映像信号変換装置は、表示される文字の前記暗絵素の位置を前記文字のフォントに応じて予め記憶しておく構成を有している。
この構成により、暗絵素の位置を文字のフォントに応じて予め記憶しておくため、一般的な方式で絵素が形成されて配列される表示部を有する装置についても、表示された画像に見られる「画像粗さ」を緩和することが可能で、文字を表示する際の処理を軽減することができる映像信号変換装置を実現することができる。
【００１７】
また、映像信号変換装置は、複数の絵素が配列された表示部を有する表示装置に表示される画像を規定する情報である画像情報を含む情報を入力させる操作手段と、前記操作手段を介して入力された画像情報、および前記表示部の各絵素を構成する色表示素子の配置、の両方に応じて各前記絵素の各色表示素子が表示する色を、前記表示装置に表示される画像粗さを低減するように調整するための調整映像信号を生成する手段とを備えた構成を有している。
この構成により、入力映像信号に基づいて表示される画像に応じて絵素を構成する各発光素子の発光を調整するため、一般的な方式で絵素が形成されて配列される表示部を有する装置についても、表示された画像に見られる「画像粗さ」を緩和することができ、かつ予め画像粗さを低減して調整映像信号を生成することができる映像信号変換装置を実現することができる。
【００１８】
また、映像信号変換装置は、前記調整映像信号を生成する手段が、前記操作手段を介して入力された画像情報に基づいて表示される画像における画像粗さを検出する画像粗さ検出部と、前記画像粗さが緩和されるように前記画像粗さが検出された絵素中の所定色表示素子が表示する色を制御する調整映像信号を生成する信号調整部とを備えた構成を有している。
この構成により、入力映像信号に基づいて表示される画像における画像粗さを検出し、検出した画像粗さを緩和するための調整映像信号を生成するため、一般的な方式で絵素が形成されて配列される表示部を有する装置についても、表示された画像に見られる「画像粗さ」を緩和することができ、かつ予め画像粗さを低減して調整映像信号を生成することができる映像信号変換装置を実現することができる。
【００１９】
また、電子記憶媒体は、複数の絵素が配列された表示部を有する表示装置に表示される画像を規定する情報である画像情報に、前記画像情報、および前記表示部の各絵素を構成する色表示素子の配置、の両方に応じて各前記絵素の各色表示素子が表示する色を、前記表示装置に表示される画像粗さを低減するように調整して得られる調整映像信号を有した構成を有している。
この構成により、入力映像信号に基づいて表示される画像に応じて絵素を構成する各発光素子の発光を調整した調整映像信号を記憶するため、一般的な方式で絵素が形成されて配列される表示部を有する装置についても、表示された画像に見られる「画像粗さ」を緩和することができ、かつ映像信号変換装置を用いることなく調整映像信号を提供することができる電子記憶媒体を実現することができる。
【００２０】
【発明の実施の形態】
以下、本発明の実施の形態について、図面を用いて説明する。
図１は、本発明の映像信号変換装置のブロック構成を示す図である。図１において、映像信号変換装置１００は、複数の発光素子からなる絵素（Ｐｉｘｅｌ）とこれらの発光素子を発光させる駆動回路とによって構成され、画像を表示する表示部１１０、上記の表示部１１０に表示される画像に見られる「ぎざぎざ」のことである「ジャギー」または「階段状の粗さ」（以下、単に「画像粗さ」という。）を、入力映像信号を信号処理して検出する画像粗さ検出部１２０、上記の画像粗さ検出部１２０が画像粗さを検出した絵素に入力される映像信号を調整し、調整映像信号を生成する信号調整部１３０、および調整映像信号に応じて表示部１１０の絵素を構成する発光素子の発光を制御する制御部１４０を含むように構成される。
【００２１】
ここで、表示部１１０は、例えば、図２に示すように複数のユニット１１１によって構成され、各ユニット１１１は複数の絵素１１２が配列された構造を有し、絵素１１２は、複数の発光素子によって構成されるのでもよい。図２は、絵素１１２が４つの発光素子１１３ａ、１１３ｂ、１１３ｃ、１１３ｄによって構成される一例を示すものである。言うまでもなく、発光素子の個数は４つに限られず、３つ以上のいずれかの数であれば良い。また、発光素子の発光面の形状は、丸に限られるものではなく、四角でもその他の形状でもよい。
【００２２】
また、絵素中の発光素子は、赤色を発光する発光素子（以下、「Ｒ発光素子」という。）、緑色を発光する発光素子（以下、「Ｇ発光素子」という。）、および青色を発光する発光素子（以下、「Ｂ発光素子」という。）の発光素子に分類されるものとする。図２において、Ｒ発光素子１１３ａは絵素１１２中左上に配置された発光素子であり、Ｇ発光素子１１３ｂ、１１３ｃは絵素中右上と左下に配置された２つの発光素子であり、Ｂ発光素子１１３ｄは絵素中右下に配置された発光素子である。言うまでもなく、各絵素を図３に示すようにし、絵素を３つの発光素子（図３（ａ）参照）や５つの発光素子（図３（ｂ）参照）で構成するのでも良い。以下では、説明の便宜上特に断らない限り、絵素は図２に示すように構成されているものとする。
【００２３】
本発明の映像信号変換装置１００と従来の映像信号変換装置との比較のため、表示部１１０および制御部１４０からなる構成（すなわち、画像粗さ検出部１２０と信号調整部１３０を除いた構成）の従来の映像信号変換装置４００における画像表示の一例を図４に示す。図４に示すように、従来の映像信号変換装置４００では、「画像粗さ」に対する調整がなされず、入力映像信号に応じて制御（図４に「入力映像信号制御」として示す。）を行って入力映像を再生する処理がなされていた。図４では、このようにして再生された入力映像の表示のことを「入力映像信号制御表示」として示す。
【００２４】
これに対して本発明の映像信号変換装置１００は、画像粗さ検出部１２０が入力映像信号制御を行ったらば表示部１１０に表示される画像の画像粗さを検出し、信号調整部１３０が検出した画像粗さを緩和するための信号の調整を行って調整映像信号を生成し、その後に調整映像信号に応じた映像表示のための制御を行うものであり、画像粗さの有無に無関係に入力映像信号に従って映像表示を行う従来の映像信号変換装置４００とは異なるものである。
【００２５】
画像粗さ検出部１２０は、入力映像信号に応じて表示部１１０に表示される画像の画像粗さを検出し、画像粗さが検出された絵素の情報を信号調整部１３０に出力するようになっている。上記の画像粗さを検出する方法として、具体的には、以下のものが挙げられる。
まず、画像粗さの有無を検出する対象となる絵素（以下、単に「検出対象絵素」という。）を決める（Ｓ１０１）。検出対象絵素の決め方としては、例えば、画像表示の際の走査の順番に絵素の明度を判断し、明度が所定値以下のものを検出対象絵素とする方法があげられるが、その他の方法でも良い。
【００２６】
次に、検出対象絵素について画像粗さを検出（以下、単に「画像粗さ検出」という。）する際に関連する絵素（以下、単に「関連絵素」という。）の配列（以下、単に「関連絵素配列」という。）を決める（Ｓ１０２）。ここで、関連絵素配列の態様には、図５に示す、検出対象絵素５１１が左上の位置を占める配置（図５（ａ）参照。）、検出対象絵素５２１が右上の位置を占める配置（図５（ｂ）参照。）、検出対象絵素５３１が左下の位置を占める配置（図５（ｃ）参照。）、検出対象絵素５４１が右下の位置を占める配置（図５（ｄ）参照。）の、４つの態様が含まれる。
【００２７】
また、図５に示す関連絵素は、検出対象絵素とそれ以外の２つの絵素（以下、単に「参照絵素」という。）に分類される。具体的には、例えば、図５（ａ）に示す検出対象絵素５１１が左上の位置を占める配置では、絵素５１２、５１３が参照絵素である。同様に、図５（ｂ）に示す検出対象絵素５２１が右上の位置を占める配置では、絵素５２２、５２３が参照絵素であり、図５（ｃ）に示す検出対象絵素５３１が左下の位置を占める配置では、絵素５３２、５３３が参照絵素であり、図５（ｄ）に示す検出対象絵素５４１が右下の位置を占める配置では、絵素５４２、５４３が参照絵素である。ステップＳ１０２では、図５に示す４つの配置のうちのいずれかを決定するものである。なお、画像粗さ検出部１２０が出力する上記の「画像粗さが検出された絵素の情報」には、検出対象絵素と参照絵素を特定するための情報が含まれる。
【００２８】
次に、ステップＳ１０１で決められた検出対象絵素の位置に、ステップＳ１０２で決定された関連絵素配列中の検出対象絵素の位置を一致させたとしたら関連絵素位置の絵素の発光を制御することになる入力映像信号を抽出する（Ｓ１０３）。以下では特に断らない限り、具体例を図５（ａ）に示された関連絵素配列を例に取り説明する。図５（ａ）に示す検出対象絵素５１１が左上の位置を占める配置では、参照絵素５１２、５１３を制御することになる入力映像信号を抽出するものである。
【００２９】
ここで、検出対象絵素５１１位置の絵素の発光を制御することになる信号（以下、単に「検出対象絵素制御信号」という。）の抽出の方法は明らかである。また、参照絵素５１２、５１３位置の絵素の発光を制御することになる入力映像信号（以下、単に「関連絵素制御信号」という。）の抽出の方法については、上記の走査の規則（以下、単に「走査規則」という。）が映像信号変換装置においてあらかじめ決められているため、この走査規則に基づいて関連絵素制御信号の抽出を行うことができる。
【００３０】
次に、ステップＳ１０３で検出対象絵素制御信号と関連絵素制御信号の抽出が行われたら、検出対象絵素位置および参照絵素位置の絵素における輝度を各制御信号に基づいて算出する（Ｓ１０４）。具体的には、検出対象絵素５１１位置の絵素の発光を制御する入力映像信号と、参照絵素５１２、５１３位置の絵素の発光を制御する入力映像信号とに基づいて、各絵素５１１、５１２、５１３位置での輝度を算出するのでもよい。
【００３１】
ステップＳ１０４で検出対象絵素位置での輝度および参照絵素位置での輝度が算出されたら、画像粗さの有無の評価に用いる評価データを算出する（Ｓ１０５）。
以下、図６を用いて上記の評価データについて説明する。上記の評価データとしては、例えば、以下に上げられるものがある。
【００３２】
（１）評価データを、参照絵素位置での各輝度から検出対象絵素位置での輝度を差し引いて得られる各値（以下、単に「差分値」という。）とし、各参照絵素位置での差分値が全て所定値以上の場合に、これらの参照絵素との関係で検出対象絵素に画像粗さが生じているとするもの。まず、図６（ａ）に示す配置の関連絵素があり、各関連絵素での輝度の値は、検出対象絵素５１１について「Ａ」、参照絵素５１２について「Ｂ」、参照絵素５１３について「Ｃ」であるとする。この場合、上記の評価データは、参照絵素５１２についての「Ｂ−Ａ」と、参照絵素５１３についての「Ｃ−Ａ」とから構成されるものである。
【００３３】
（２）検出対象絵素位置に「−１」を割り当て、各参照絵素位置に「＋１」を割り当て、各関連絵素位置での輝度と上記で割り当てた値との積和をとり、積和をとって得られた値（以下、単に「積和値」という。）を評価データとし、上記の積和値が所定値以上の場合に、参照絵素との関係で検出対象絵素に画像粗さが生じているとするもの。具体的には、図６（ｂ）に示すように検出対象絵素５１１に対応する位置に「−１」を割り当て、各参照絵素５１２、５１３に対応する位置に「＋１」を割り当てて、対応する絵素の輝度の値との積和を取って得られるもの（図６（ｂ）に示す「−Ａ＋Ｂ＋Ｃ」）が、この場合の評価データである。
【００３４】
ステップＳ１０５で評価データが算出されたら、この評価データに基づいて検出対象絵素位置に画像粗さが生じているか否かを判断する（Ｓ１０６）。画像粗さが生じているか否かの判断については、例えば、上記の（１）、（２）に述べた方法により判断するのでもよい。言うまでもなくその他の方法で評価データを生成する場合は、その方法で生成された評価データに応じて判断することになる。図６（ａ）については、画像粗さが検出されたとされる場合、参照絵素５１２と参照絵素５１３との交点に対して右上にある検出対象絵素５１１が参照絵素５１２、５１３に比して暗く表示され、参照絵素５１２、５１３に表示された画像が画像粗さを生ずることになる。
【００３５】
信号調整部１３０は、画像粗さが検出された検出対象絵素の各発光素子の発光を制御する入力映像信号を調整して、画像粗さを緩和するようになっている。ここで、信号調整部１３０には、不揮発メモリ等の記憶手段が含まれ、この記憶手段には、図７に示すような画像粗さを緩和する目的に用いられるデータ（以下、単に「画像粗さ補正データ」という。）が記憶されている。信号調整部１３０は、画像粗さ補正データに基づいて画像粗さに係わる絵素の発光を制御するようになっている。
【００３６】
以下、図１０に示す画像の画像粗さを緩和するための信号調整部１３０の動作について図８を用いて具体的に説明する。
まず、前提として、画像粗さ検出部１２０が行った処理によって、図８における絵素８１２が輝度の高い絵素８１１（以下、単に「明絵素８１１」という。）同士の交点（以下、単に「明絵素間交点」という。）の左上に位置して画像粗さに係わる絵素（以下、単に「左上暗絵素８１２」という。）として検出され、図８における絵素８１３が明絵素間交点の右下に位置して画像粗さに係わる絵素（以下、単に「右下暗絵素８１３」という。）として検出されているものとする。また、各絵素を構成する発光素子の配置は、図２に示すように（４発光素子）なっているものとする。
【００３７】
画像粗さ検出部１２０によって左上暗絵素８１２が検出された場合、信号調整部１３０は、左上暗絵素８１２を構成するＢ発光素子８１２ｄの発光を制御する。図７に示す制御では、Ｂ発光素子８１２ｄの輝度を最大の２５５とするようになっている。Ｂ発光素子８１２ｄの輝度は、その他のレベルをとるものであっても良い。ここで、発光させるのをＢ発光素子８１２ｄとしたのは、Ｂ発光素子８１２ｄが明絵素間交点に最も接近した（左上暗絵素８１２の）発光素子だからである。
【００３８】
画像粗さ検出部１２０によって右下暗絵素８１３が検出された場合、信号調整部１３０は、右下暗絵素８１３を構成するＲ発光素子８１３ａの発光を制御する。図７に示す制御では、Ｒ発光素子８１３ａの輝度を最大の２５５とするようになっている。Ｒ発光素子８１３ａの輝度は、その他のレベルをとるものであっても良い。ここで、発光させるのをＲ発光素子８１３ａとしたのは、Ｒ発光素子８１３ａが明絵素間交点に最も接近した（右下暗絵素８１３の）発光素子だからである。
【００３９】
なお、左上暗絵素８１２と右下暗絵素８１３とが検出された場合に、左上暗絵素８１２または右下暗絵素８１３のいずれかのＧ発光素子（図８では、右下暗絵素８１３のＧ発光素子となっている。）をも発光させるようにするのでもよい。上記Ｂ発光素子８１２ｄとＲ発光素子８１３ａの発光に加えてＧ発光素子をも発光させることによって、２色の発光の場合よりも色彩表現の幅が広げられることになる。
【００４０】
画像粗さを調整するために暗絵素中の発光素子のみの輝度を上げると、画像粗さ付近の発色が変化することがありえる。そのため、暗絵素中の発光素子の輝度を上げるとともに、これを補うように参照絵素中の発光素子の輝度を下げ、発色の調整を行うようにするのでもよい。具体的には、例えば暗絵素中のＧ発光素子の輝度を増加させたら、参照絵素中のＧ発光素子の輝度を下げ、発色の調整を行う等のことである。
【００４１】
また、３発光素子によって絵素が構成される場合、および５発光素子によって絵素が構成される場合についても、図７のレベルが「２５５」となっている発光素子を発光させるように制御するものである。このように発光素子を発光させるのは、上記と同様に、明絵素間交点に最も接近した発光素子を発光させるためである。信号調整部１３０は、上記の暗絵素に対応する入力映像信号を調整して調整映像信号を生成するものである。
【００４２】
さらに、表示される文字の画像粗さを緩和するため、暗絵素または暗絵素の発光素子に対応する映像信号の調整に用いる情報を、表示される文字のフォントに応じて予め記憶しておき、文字を表示させる映像信号が入力された場合、この文字の映像信号と予め記憶しておいた情報とに基づいて画像粗さを緩和するための調整映像信号を生成するようにするのでもよい。これにより、画像粗さの検出の処理を軽減することが可能となる。
【００４３】
制御部１４０は、信号調整部１３０によって生成された調整映像信号に基づいて表示部１１０の各発光素子を発光させるようになっている。
以下、図９を用いて本発明の映像信号変換装置の動作について説明する。
まず、入力映像信号が画像粗さ検出部１２０に入力されると、検出対象絵素が画像粗さ検出部１２０によって決定され、検出対象絵素と参照絵素との位置関係が図５に示す関係のいずれかに決定され、このように位置関係が決定された関連絵素パターンを図９（ａ）に示すように走査し、上記の暗絵素の検出を行う。次に、暗絵素が検出されたら、検出された暗絵素の位置および明絵素の位置等の所定の情報が画像粗さ検出部１２０から信号調整部１３０に出力され、検出された暗絵素の位置および明絵素の位置等の所定の情報に基づいて、暗絵素の発光を調整するための調整映像信号が信号調整部１３０によって生成され、生成された調整映像信号に応じた映像を表示するように制御部１４０が表示部１１０を構成する発光素子の発光を制御する。表示部１１０は、制御部１４０の制御の下に画像を表示する（図９（ｂ）参照。）。
【００４４】
上記の説明は、映像を表示部に表示する直前に画像粗さを検出した絵素の映像信号を調整して、映像信号変換装置に接続された表示部に出力するものであった。本発明は、必ずしも、表示部が映像信号変換装置に接続され、表示の直前に画像粗さを検出して絵素の信号を調整する構成の装置に限定して適用されるものではない。
【００４５】
例えば、本発明は、映像信号変換装置１００が、画像情報を含む情報または映像信号（以下、単に「映像信号等」という。）を入力させる操作部と、操作部を介して入力された映像信号等を、予め決められた絵素配列の表示部に出力することを前提に画像粗さを検出する画像粗さ検出部１２０と、検出した画像粗さに応じて映像信号を調整して調整映像信号を生成する信号調整部とによって構成される場合についても適用されるものである。
【００４６】
そして、信号調整部によって生成された調整映像信号は、ハードディスク、ＣＤ（Ｃｏｍｐａｃｔ  Ｄｉｓｋ）、ＤＶＤ（Ｄｉｇｉｔａｌ  Ｖｅｒｓｅｔｉｌｅ  Ｄｉｓｋ）等のローカルな記憶手段に記憶されて、またはネットワーク上の装置に記憶されて、保持され、要求があったときに提供されるものでもよい。これらの電子記憶媒体に記憶された調整映像信号自体、本発明の課題を解決できる客体である。
【００４７】
また、前提とする絵素配列は、一の態様に固定されるものではなく、複数の態様について行うことができるのでも、複数の態様のうち一の態様を切り替えて選べるのでも、その他の方法によって決定される態様とするのでもよい。
具体的には、絵描きツールで作成された斜め４５度の線からなる画像の画像データを、例えば図２に示す絵素配列の表示部を想定して画像粗さを検出して調整信号を生成する場合等で、本発明が適用できる。
【００４８】
以上説明したように、本発明の映像信号変換装置は、入力映像信号に基づいて表示される画像における画像粗さを検出し、検出した画像粗さを緩和するための調整映像信号を生成するため、一般的な方式で絵素が形成されて配列される表示部を有する装置についても、表示された画像に見られる「画像粗さ」を緩和することができる。
また、明絵素同士の交点である明絵素間交点に近接する発光素子が３種類以上の光を発光するため、色彩の調整に適した画像粗さの緩和を実現することができる。
また、絵素が３つの発光素子によって構成されるため、簡易な構成にすることができる。
また、絵素が４つの発光素子によって構成されるため、色彩調整の自由度を向上させることができる。
また、絵素が５つの発光素子によって構成されるため、色彩調整の自由度をさらに向上させることができる。
また、暗絵素の位置を文字のフォントに応じて予め記憶しておくため、文字を表示する際の処理を軽減することができる。
【００４９】
【発明の効果】
以上説明したように、本発明は、一般的な方式で絵素が形成されて配列される表示部を有する装置についても、表示された画像に見られる「画像粗さ」を緩和することができる映像信号変換装置を実現することができる。
【図面の簡単な説明】
【図１】本発明の映像信号変換装置のブロック構成を示す図
【図２】表示部の構成の説明図
【図３】絵素の構成例を示す説明図
【図４】画像粗さの緩和処理をしない構成の映像信号変換装置の説明図
【図５】本発明の関連絵素配列の態様を説明するための図
【図６】本発明の評価データの説明図
【図７】本発明の画像粗さ補正データの一例を示す図
【図８】本発明の信号調整部の動作を説明するための図
【図９】本発明の映像信号変換装置の動作を説明するための図
【図１０】従来の映像信号変換装置に表示された画像の粗さの一例を示す図
【図１１】従来の映像信号変換装置の動作を説明するための図
【符号の説明】
１１  表示画面
１３、１１２  絵素
１４  斜めの線
１００  映像信号変換装置
１１０  表示部
１１１  ユニット
１１３ａ、１１３ｅ、８１３ａ  Ｒ発光素子
１１３ｂ、１１３ｃ、８１３ｂ、８１３ｃ  Ｇ発光素子
１１３ｄ、８１２ｄ  Ｂ発光素子
１２０  画像粗さ検出部
１３０  信号調整部
１４０  制御部
４００  従来の映像信号変換装置
５１１、５２１、５３１、５４１  検出対象絵素
５１２、５１３、５２２、５２３、５３２、５３３、５４２、５４３  参照絵素
８１１  明絵素
８１２  左上暗絵素
８１３  右下暗絵素
【図１】
2004302348.tif 000003
【図２】
2004302348.tif 000004
【図３】
2004302348.tif 000005
【図４】
2004302348.tif 000006
【図５】
2004302348.tif 000007
【図６】
2004302348.tif 000008
【図７】
2004302348.tif 000009
【図８】
2004302348.tif 000010
【図９】
2004302348.tif 000011
【図１０】
2004302348.tif 000012
【図１１】
2004302348.tif 000013